(57)【要約】【課題】抄紙機のオントップフォーマの高速化に対応可能であるとともに、安価で簡素な構成の脱水機器を実現する。【解決手段】第２脱水領域ＩＩ始端部の上部ワイヤ２の背面に該上部ワイヤに接して断面が該上部ワイヤに向かって凸の曲率半径をもつワイヤ支持面５２、５３とワイヤ走行方向に向かって溝深さが漸増する脱水用溝５１とをもつ広幅ブレード４、５と、該広幅ブレードの上方に設けられ内部に負圧空間が形成された白水貯留タンク６と、脱水用溝５１と脱水貯留タンク６の上部とを連通する白水排出路１０と、脱水用溝５１のワイヤ走行方向下流側で上部ワイヤ２の背面に当接して上部ワイヤ２の背面に沿う白水を該白水排出路１０に向ける分離堰１４、１５を備えた。【選択図】図１
2008106402.tif 000002
【特許請求の範囲】
【請求項１】
前半部でほぼ水平の第１脱水領域を形成する下部ワイヤと、該第１脱水領域の下流側で該下部ワイヤとで原料液を挟んで脱水する第２脱水領域を形成する上部ワイヤと、該下部ワイヤ又は上部ワイヤの原料液搬送路に沿って配置された脱水機器とを備えた抄紙機のオントップフォーマにおいて、
前記第２脱水領域始端部の上部ワイヤの背面で該上部ワイヤに接して断面が該上部ワイヤに向かって凸の曲率半径をもつワイヤ支持面とワイヤ走行方向に向かって溝深さが漸増する脱水用溝とをもつ広幅ブレードと、
該広幅ブレードの上方に設けられ内部に負圧空間が形成された白水貯留タンクと、
該脱水用溝と該脱水貯留タンクの上部とを連通する白水排出路と、
該脱水用溝のワイヤ走行方向下流側で該上部ワイヤの背面に当接して該上部ワイヤの背面に沿う白水を該白水排出路に向ける分離堰と、
を備えたことを特徴とする抄紙機のオントップフォーマ。
【請求項２】
前記脱水用溝をワイヤ走行方向に対して傾斜させ、ワイヤ走行方向に沿う任意の断面上で前記脱水用溝の開口区間が等しくなるように構成したことを特徴とする請求項１に記載の抄紙機のオントップフォーマ。
【請求項３】
前記白水貯留タンクの下部が内壁と外壁とからなる２重壁で構成され、前記白水排出路が該内壁と外壁との間に形成されるとともに、該内壁が白水貯留部を形成し、該白水排出路が該内壁の上端を越えて該白水貯留部の上部に連通するように構成されていることを特徴とする請求項１に記載の抄紙機のオントップフォーマ。
【請求項４】
前記第１脱水領域において前記下部ワイヤの背面に幅方向全域に亘って摺接された複数のフォイルブレードを並設し、
該フォイルブレードは、ワイヤ走行方向上流側に位置する平面部と、該平面部の下流側に続く勾配面と、該勾配面の幅方向に所定間隔を置いて配設され上面が該平面部に続く平面をなす三角形状のワイヤ支持部材とからなることを特徴とする請求項１に記載の抄紙機のオントップフォーマ。
【発明の詳細な説明】
【技術分野】
【０００１】
本発明は、抄紙機のオントップフォーマにおいて、高速時における原料液の紙幅方向坪量プロファイルの悪化を抑制することにより、高速運転を可能としたものである。
【背景技術】
【０００２】
抄紙機の運転速度は生産効率アップの観点から既存の設備においても高速化が要求されてきている。従来のオントップフォーマにおいては、ヘッドボックスから噴出された原料液が下部ワイヤで構成される長網と呼ばれる片側脱水域で脱水が行なわれた後、ツインワイヤと称されるトップワイヤユニット部でさらに上下方向に両側脱水が行なわれる。
【０００３】
図７及び図８に特許文献１（特表２００５−５３６６５４号公報）に開示されたオントップフォーマを示す。図７はオントップフォーマの全体概略図、図８は、オントップフォーマに使用される脱水機器の一例を示す断面図である。図７において、オントップフォーマ０５０は、長網ワイヤ０５１及び長網ワイヤ０５１の背面に配置された脱水装置０５３を備えた初期片側脱水領域Ｉを含む。初期片側脱水領域Ｉでは、原料液は、ヘッドボックス０１から長網ワイヤ０５１の上に供給される。脱水装置０５３は、ハイドロフォイルブレードと呼ばれる脱水ブレード、種々の吸引ボックス等で構成される。
【０００４】
フォーマユニット０６０は、長網ワイヤ０５１の上部に据え付けられ、ツインワイヤ部分を形成する。ここで両側脱水領域ＩＩを形成する。フォーマユニット０６０は、ヒッチロール又はガイドロール０６２、０６３、０６４、０６５によりエンドレスワイヤループを形成するトップワイヤ０６１を備える。第１ロール０６２はツインワイヤ部分の始端部で楔状の間隔Ｇが形成されるように長網ワイヤ０５１の上に配置され、該間隔Ｇに初期脱水を終えた原料液が導入される。
トップワイヤ０６１の内部では吸引ボックス０６６が搭載され、吸引ボックス０６６は３つの連続した吸引室０６６ａ、０６６ｂ、０６６ｃに分割され、これら吸引室の内部は異なった大きさの負圧レベルに保持される。
【０００５】
吸引ボックス０６６の後方で長網ワイヤ０５１の背面に負圧化された移送吸引ボックス０５４が配置され、形成された湿紙Ｗが、この移送吸引ボックス０５４によりツインワイヤ部分の後方で長網ワイヤ０５４に追従するようにする。
吸引ボックス０６６の第１室０６６ａの下面は、図８に示すような形成シュー０３が設けられる。形成シュー０３は形成ワイヤ０１１、０１２の挟み面の背面側に配置され、形成ワイヤ０１１、０１２が形成シュー０３の上を移動する。各形成シュー０３は上面を形作り、形成シュー０３に斜めに向けられた開口部０６を備えた曲面デッキ０５をもつ。デッキ０５は形成ワイヤ０１１、０１２に向けて凸の曲率半径Ｒをもつ。
【０００６】
形成シュー０３は負圧源０４に接続され、形成シュー０３の表面で負圧が形成され、形成ワイヤ０１１、０１２間にある原料液から水を吸引する。このように図７に示す吸引室０６６ａ、０６６ｂ及び０６６ｃによって連続した２つの脱水ゾーンＺ１及びＺ２が構成される。なお図８中、０２はヘッドボックスから供給され長網ワイヤ０５１上で形成された原料液、０７は形成シュー０３の前端、０８は形成シュー０３の後端、０１４は第１ロールを示す。
【０００７】
従来のオントップフォーマでは、フォーマユニット０６０の第１ロール０６２の後方に形成シュー０３等の脱水機器が配置されておらず、長網ワイヤ０５１とトップワイヤ０６１のワイヤ張力のみで原料液を挟み込んでいたため、ワイヤ走行速度が高速になると、原料液によるトップワイヤ０６１への衝突力が大きく、このためトップワイヤが幅方向で不揃いに変形を起こし、幅方向の坪量プロファイルが悪化するという問題が生じ、これが抄紙速度の高速化を妨げていた。
【０００８】
この問題を解決するために、特許文献１では、図７及び図８に示すように、第１ロール０６２の後方のトップワイヤ０６１の背面側に開口部０６をもつ形成シュー０３を設け、この形成シュー０３でワイヤ上を走行する原料液の衝突力を受けることにより、トップワイヤ０６１が幅方向に不均一になることを防止し、抄紙速度の制限をなくすようにしたものである。
【０００９】
【特許文献１】特表２００５−５３６６５４号公報
【発明の開示】
【発明が解決しようとする課題】
【００１０】
しかしながら、特許文献１に開示された脱水機器は、多数の開口部０６を要し、孔加工に多大な労力を必要とするとともに、耐摩耗性材料で構成され、また外部から形成シュー０３の表面を負圧にする吸引装置を備えているため、高価になるという問題点がある。
またオントップフォーマを高速運転する場合には、長網ワイヤ０５１の前半の片側脱水部でジャンピング現象（原料液がワイヤ上から離れ飛散する現象）が生じ、このジャンピング現象に対する対策が必要であった。
【００１１】
本発明は、かかる従来技術の課題に鑑み、ツインワイヤ部分の始端部に設けられる脱水機器をオントップフォーマの高速化に対応可能であるとともに、安価で簡素な構成の脱水機器とすることを目的とする。
また本発明は、初期脱水を行なう下部ワイヤループの片側脱水領域において原料液のジャンピング現象をなくし、オントップフォーマの高速化を容易にすることを目的とする。
【課題を解決するための手段】
【００１２】
かかる目的を達成するため、本発明の抄紙機のオントップフォーマは、
前半部でほぼ水平の第１脱水領域を形成する下部ワイヤと、該第１脱水領域の下流側で該下部ワイヤとで原料液を挟んで脱水する第２脱水領域を形成する上部ワイヤと、該下部ワイヤ又は上部ワイヤの原料液搬送路に沿って配置された脱水機器とを備えた抄紙機のオントップフォーマにおいて、
前記第２脱水領域始端部の上部ワイヤの背面で該上部ワイヤに接して断面が該上部ワイヤに向かって凸の曲率半径をもつワイヤ支持面とワイヤ走行方向に向かって溝深さが漸増する脱水用溝とをもつ広幅ブレードと、
該広幅ブレードの上方に設けられ内部に負圧空間が形成された白水貯留タンクと、
該脱水用溝と該脱水貯留タンクの上部とを連通する白水排出路と、
該脱水用溝のワイヤ走行方向下流側で該上部ワイヤの背面に当接して該上部ワイヤの背面に沿う白水を該白水排出路に向ける分離堰とを備えたものである。
【００１３】
本発明においては、第２脱水領域始端部の上部ワイヤの内側に前記構成をもつ広幅ブレードを設けたものである。該広幅ブレードは上部ワイヤに向って凸の曲率半径をもつワイヤ支持面で上部ワイヤを背面から支持しているので、第１脱水領域から第２脱水領域の始端部に進入してくる原料液の衝突力を受け止め、上部ワイヤの幅方向の変形を防止できる。これによって上部ワイヤが幅方向に不均一な脱水になるのを防止できる。
広幅ブレードの曲率半径を変更することにより、下部ワイヤと上部ワイヤでの挟み込み圧力を容易に変更又は調整することができる。
【００１４】
また該広幅ブレードは、ワイヤ走行方向に向かって溝深さが漸増する脱水用溝を有し、原料液及び上下ワイヤが該ワイヤ支持面に沿って走行すると、上下ワイヤの加圧力によって分離された白水は速度エネルギを保持したまま該脱水用溝を通過することができる。また脱水圧力に加え、フォイル効果によって該脱水用溝には真空が発生するので、上部ワイヤを介した原料液の脱水能力が増加する。この真空発生はフォイル効果によるもので自己吸引となるので、外部から真空発生装置を付設する必要がない。
【００１５】
第１脱水領域で下部ワイヤに載置された原料液を下部ワイヤ側から脱水しているので、原料液が下部ワイヤに面する部分は、繊維分が蓄積している。従って該広幅ブレードを下部ワイヤの背面に設けても脱水効果が上がらない。そのため広幅ブレードは、上部ワイヤの背面に設けられる。しかし、広幅ブレードを上部ワイヤの背面側に設けると、原料液に含まれる水を上方向に脱水する必要がある。従って上部ワイヤを通って上方向に分離された白水が降下して原料液に戻らないように速やかに排出できる構成とする必要がある。
【００１６】
そのため本発明では、該広幅ブレードの上方に設けられ内部に負圧空間が形成された水貯留タンクと、広幅ブレードの脱水用溝と該白水貯留タンクの上部とを連通する白水排出路と、該脱水用溝のワイヤ走行方向下流側で該上部ワイヤの背面に当接して該上部ワイヤの背面に沿う分離した白水を該白水排出路に向ける分離堰とを備えている。
【００１７】
原料液から分離し該脱水用溝に吸引された白水は、前記分離堰によって上部ワイヤの背面から離されて前記排出路に導かれ、該排出路を通って該白水貯留タンクに送られる。白水貯留タンクは内部で負圧空間を形成しているので、脱水用溝の上方に位置していても該移出路を通って該白水貯留タンクの内部に白水を送り込むことが可能である。このようにして原料液から分離した白水を該白水貯留タンクに送ることができる。
該白水貯留タンクの下部が内壁と外壁とからなる２重壁で構成され、白水排出路が該内壁と外壁との間に形成されるとともに、該内壁が白水貯留部を形成し、該白水排出路が該内壁の上端を越えて該白水貯留部の上部に連通するように構成すれば、白水貯留タンクを簡単な構成とすることができる。
【００１８】
また本発明において、好ましくは、広幅ブレードの脱水用溝をワイヤ走行方向に対して傾斜させ、ワイヤ走行方向に沿う任意の断面上で前記脱水用溝の開口区間が等しくなるように構成するとよい。かかる構成によって、原料液走行路の幅方向の任意の位置において原料液が該脱水用溝の開口部を横切る区間が同一となるため、原料液の幅方向で脱水ムラが生じない。従って原料液の幅方向で均一な脱水処理を行うことができる。
【００１９】
また本発明において、好ましくは、第１脱水領域において下部ワイヤの背面に幅方向全域に亘って摺接させた複数のフォイルブレードを並設し、該フォイルブレードが、ワイヤ走行方向上流側に位置する平面部と、該平面部の下流側に続く勾配面と、該勾配面の幅方向に所定間隔を置いて配設され上面が該平面部に続く平面をなす三角形状のワイヤ支持部材とからなる構成とするとよい。
前記構成のフォイルブレードは、前記勾配面に形成される負圧によって脱水作用を行なっているが、この負圧はワイヤ走行速度の２乗に比例し、前記ワイヤ支持部材がない場合、その負圧によって下部ワイヤが下方に曲がりを起こし、原料液に方向転換及び上下の加速度変化が起こり、ワイヤ上の原料液に乱れを与えていた。
【００２０】
第１脱水領域を走行する原料液の乱れの度合いは、前記勾配面に形成される負圧の強さ、原料濃度、負圧波形、ワイヤ支持スパン等に影響を受けるが、一般的にワイヤ走行速度の上昇によって乱れは増加し、極端な場合にはワイヤ上から原料液が飛散する現象が起こって、製品品質のうち特に繊維分散状態と幅方向の秤量プロファイルが悪化する。このため、ワイヤ走行速度に制限を与えていた。
【００２１】
本発明で使用する前記構成を有するフォイルブレードは、該勾配面の幅方向に所定間隔を置いて配設され上面が該平面部に続く平面の三角形状のワイヤ支持部材を設けたことにより、フォイルブレードの該勾配面で発生する負圧によるワイヤの変形を防止することができる。また該ワイヤ支持部材の上面の勾配角度を調整できるようにすれば、下部ワイヤの変形量を外部から容易に変更することができ、これによって原料液の乱れの程度を制御することができる。
【００２２】
従って下部ワイヤ上の原料液の方向変化及び加速度変化がなくなるので、下部ワイヤ上の原料液の乱れを防止でき、また同一のフォイルブレードにおいて、該勾配面で発生する脱水作用とワイヤ上の原料液の乱れの程度をそれぞれ単独に制御することができるため、繊維分散と幅方向の秤量プロファイルが良好な高品質の紙を抄造できる。
【発明の効果】
【００２３】
本発明によれば、前記広幅ブレードにより第１脱水領域の始端部に進入してくる原料液の衝突力を受け止めることができ、これによって幅方向坪量プロファイルの悪化を抑制でき、オントップフォーマの高速運転が可能になる。
また該広幅ブレードはワイヤ走行方向に沿って溝深さが漸増する脱水用溝を設けるという簡単な構成で、フォイル効果による真空を発生するため、脱水効果を増加させることができる。そのため負圧を強制的に形成するための真空形成装置が不要であるので、安価であり、かつ製作が容易である。
また該広幅ブレードで分離した白水は、白水排出路を通って白水貯留タンク内の負圧空間に速やかに排出されるので、一旦分離した白水が再び原料液に戻ることがない。
【発明を実施するための最良の形態】
【００２４】
以下、本発明を図に示した実施形態を用いて詳細に説明する。但し、この実施形態に記載されている構成部品の寸法、材質、形状、その相対配置などは特に特定的な記載がない限り、この発明をそれのみに限定する趣旨ではない。
（実施形態１）
【００２５】
図１は本発明装置の第１実施形態を示す一部拡大縦段面図、図２は第１実施形態の広幅ブレードの斜視図、図３は該広幅ブレードの平面視模式図である。
図１は、従来のオントップフォーマを示す図８において、ツインワイヤ部分の始端部に設けられた形成シュー０３の設置場所に相当する部分の拡大断面図である。図１において、原料液ｓはループを形成する下部ワイヤ１上に載置されて初期片側脱水領域Ｉを経た後、ツインワイヤ部分の始端部に達する。ここから両側脱水領域ＩＩが形成される。該始端部では、下部ワイヤ１とガイドロール３によってループを構成する上部ワイヤ２とで挟む楔状の間隔Ｇが形成され、原料液ｓは間隔Ｇを経て両側脱水領域ＩＩに進入する。
【００２６】
間隔Ｇの後方の脱水領域には、上部ワイヤ２の背面に第１段広幅ブレード４とその下流側に第２段広幅ブレード５が設けられている。第１段広幅ブレード４の断面は上部ワイヤ２に向って凸の曲率半径をもち、第２段広幅ブレード５がほぼ平面状をなす以外は、両広幅ブレードは同一構造をなす。これら広幅ブレード４、５を上部ワイヤ２の背面に設けた理由は、下部ワイヤ１側に接する原料液表面には初期片側脱水領域Ｉでの脱水処理により繊維分が蓄積され、下部ワイヤ１側からの脱水は脱水効果が上がらないからである。
また、第２段広幅ブレード５の代わりに図７に示す脱水ブレード０２１を使用してもよい。
【００２７】
この広幅ブレードの構成を広幅ブレード５を例にとって図２及び図３で説明する。図２において、第２段広幅ブレード５の表面にはワイヤ走行方向ａに直交する幅方向ｂに間隔をおいて複数の脱水用溝５１が設けられている。脱水用溝５１はワイヤ走行方向上流端から長さｌだけ入った所から始まり、ワイヤ走行方向ａの下流側へ延び、かつブレード下流端に向かって角度θ１で傾斜し、ブレード下流端に向かって開放されている。
【００２８】
第２段広幅ブレード５の上流側先端には幅方向に連続したランド部５２が形成され、上部ワイヤ２に連れ廻る水を幅方向に掻き取ることができるようになっている。また脱水用溝５１間にもランド部５３が設けられている。広幅ブレード４及び５は白水貯留タンク６の底部に図示しないＴバー等を介して抜き差し可能に装着される。
脱水用溝５１をこのような形状にすることにより、上部ワイヤ２が第２段広幅ブレード５のランド部５２及び５３に接して走行する時、上下ワイヤ１及び２による脱水圧力に加え、溝５１内でフォイル効果による真空が発生し、脱水効果が更に向上する。
【００２９】
図３に示すように、脱水用溝５１は、ワイヤが走行する範囲内の幅方向ｂの任意の位置でワイヤ走行方向の断面上で脱水用溝５１の開口区間を等しくなるように、ワイヤ走行方向ａに対して若干傾斜して配置され、かつ溝間の間隔ｉを調整している。即ち図３において、溝５１ａ、５１ｂ及び５１ｃの開口区間は、ｈ１＝ｈ２＝ｈ３＋ｈ４となっている。このように構成とすることにより、原料液ｓが広幅ブレード４又は５を通過するとき、幅方向ｂの任意の位置で原料液ｓが脱水用溝５１の開口部を通過する区間が同一となるので、脱水ムラをなくし、原料液ｓの幅方向全域に亘って均一な脱水作用を可能にする。
【００３０】
広幅ブレード４及び５の上方には白水貯留タンク６が設けられている。図１において、白水貯留タンク６は外壁７と内壁８からなる２重壁構造になっており、内壁８は原料液ｓから分離した白水貯留部９を形成している。また外壁７と内壁８との間には原料液ｓから分離した水を白水貯留部９に導くための排出空間１０が形成されている。白水貯留タンク６の上部には吸引配管１１が接続され、吸引配管１１にはブロア１２が接続され、ブロア１２によって白水貯留タンク６内の空気を吸引して、白水貯留タンク６内を負圧空間としている。
【００３１】
白水貯留部９の下部には貯留した水を外部に排出するための排水口１３が設けられている。広幅ブレード４及び５の下流側には、それぞれ脱水用溝４１及び５１の開口端４４及び５４と間隔を開けて堰１４及び１５が設けられている。堰１４及び１５は、上部ワイヤ２の背面に当接され、原料液ｓから分離され上部ワイヤ２の背面に連れ回る白水を上部ワイヤ２の背面から剥離させ、排出空間１０に導く作用をもつ。
【００３２】
かかる構成の本実施形態において、両側脱水領域ＩＩの始端部で、原料液ｓが楔状の間隔Ｇを経て下部ワイヤ１と上部ワイヤ２で挟まれると、下部ワイヤ１の張力と広幅ブレード４の曲率半径で決まる脱水圧力によって上下ワイヤ１、２を通して両側に脱水される。広幅ブレード４及び５では、上下ワイヤ１、２及び広幅ブレード４及び５のランド部５２及び５３の加圧力によって脱水用溝５１に分離した白水は、フォイル効果によって脱水用溝５１内に真空が発生しているために、脱水用溝５１の開口端４４及び５４側に吸引され、該開口端側に走行する。このように上下ワイヤ１、２の加圧力と該真空との相乗効果によって脱水効果が向上する。該開口端の下流側には堰１４及び１５があるために、分離した白水は上部ワイヤ２の背面から剥離されて白水貯留タンク６の排出空間１０に導かれる。
【００３３】
白水貯留タンク６の内部はブロア１２によって吸引されて負圧空間となっているため、排出空間１０に導かれた白水には白水貯留タンク６の内部へ向う吸引力が発生しており、白水は内壁８の上端を通って白水貯留部９に到達する。
第１段広幅ブレード４及び第２段広幅ブレード５の下流側では、別の脱水機器、例えば図７に示す吸引室０６６ｂ及び０６６ｃ等が配置され、さらに脱水される。
【００３４】
本実施形態によれば、両側脱水領域ＩＩの始端部において、ガイドロール３の下流側で上部ワイヤ２の背面に第１段広幅ブレード４を設けたことにより、第１段広幅ブレード４でツインワイヤ部分の始端部に進入してくる原料液ｓの衝突力を受け止めることができ、これによって上部ワイヤ２の幅方向の変形を防止し、幅方向坪量プロファイルの悪化を抑えるため、オントップフォーマの高速化が可能になる。
【００３５】
また第１段広幅ブレード４は上部ワイヤ２に向って凸の曲率半径をもつため、原料液ｓに対して適宜な加圧力を付与でき、脱水効率を向上させることができる。なお第１段広幅ブレード４に付与される凸の曲率半径は、上流側と下流側で曲率半径が異なる複数の曲率半径を組み合わせるようにしてもよい。望ましいのは、上流側から下流側に向って曲率半径が次第に小さくなり（曲率が大きくなり）、次第に脱水圧力が増加する構成である。
【００３６】
また第１段広幅ブレード４及び第２段広幅ブレード５は、ワイヤ走行方向に沿って溝深さが漸増する脱水用溝５１を備えているので、脱水圧力に加えて、該脱水用溝５１内でにフォイル効果による真空が発生し、脱水効果がさらに増大する。このため真空を強制的に形成するための装置を特に設ける必要がない。
また広幅ブレード４，５は、多数の孔等の空隙部を設ける必要がなく、ワイヤ走行方向に向って脱水用溝５１を形成するだけであるので、製作が容易であり、製作費が安価である。また脱水用溝５１とランド部５２とが交互に一定の角度でワイヤ走行方向に並設されているので、脱水用溝５１内の白水が漏れにくい構成となっている。
【００３７】
また本実施形態においては、第１段広幅ブレード４では曲率半径をもつ断面とすることにより、脱水能力をもたせたものとし、第２段広幅ブレード５はほぼ平面状に構成して低動力運転が可能な構成としているので、脱水能力と省エネ効果を合わせもつことができる。
（実施形態２）
【００３８】
次に本発明装置の第２実施形態を図４により説明する。本実施形態は、両側脱水領域ＩＩの構成は前記第１実施形態と同一である。本実施形態は、下部ワイヤ１による初期片側脱水領域Ｉで、図７の脱水装置０５３が設置されている箇所に、以下説明するフォイルブレード２０を下部ワイヤ１の下面に幅方向全域に亘って複数個並設するものである。
【００３９】
図４において、フォイルブレード２０の上面は下部ワイヤ１と全幅に亘って摺接し、下部ワイヤ１を介して搬送される原料液ｓと平行であってワイヤ走行方向ａの上流側に配置される平面部２１と、原料液ｓとある角度θ２をもって設けられた勾配面２２とよりなる。さらに勾配面２２の幅方向にピッチｗで配設され、上面が平面部２１に続く平面の三角形状のフィン状部材（ワイヤ支持部材）２３を設けたものである。
【００４０】
かかる構成のフォイルブレード２０を片側脱水領域の下部ワイヤ１の下面に複数個並設する。下部ワイヤ１が矢印ａ方向にフォイルブレード２０の平面部２１とフィン状部材２３の上面に接して走行すると、勾配面２２の上部隙間には走行する下部ワイヤ１と原料液ｓによって負圧域が形成され、その負圧によって下部ワイヤ１を介して原料液ｓに含まれる水分を脱水する。また、その負圧によって下部ワイヤ１が変形しようとすると、幅方向にあるピッチｗで配設したフィン状部材２３で下部ワイヤ１が支持されるので、下部ワイヤ１の変形を最小限に抑えることができる。従ってワイヤ走行速度が上昇しても下部ワイヤ１上での原料液ｓの乱れや原料液ｓの飛散を防止できる。
【００４１】
このフィン状部材２３の高さｈ、幅δ及び配設ピッチｗは、ワイヤ走行速度との関係で決めることができ、かつ等ピッチでなくてもよい。またフィン状部材２３を下部ワイヤ１及び原料液ｓの走行方向ａに対してある角度をもたせてもよい。
【００４２】
第２実施形態では、前記第１実施形態にフォイルブレード２０を組み合わせ使用するもので、フォイルブレード２０を初期片面脱水領域Ｉの下部ワイヤ１の背面に設けることにより、下部ワイヤ１の変形を最小限に抑えることができ、従って初期片側脱水領域Ｉでの原料液ｓのジャンピング現象を抑制することができる。そのため下部ワイヤ１上での原料液ｓの幅方向挙動が安定化し、両側脱水領域ＩＩの第１段広幅ブレード４及び第２段広幅ブレード５との組み合わせにより、幅方向坪量プロファイルの均一性をさらに向上できる。これによってオントップフォーマの高速化を容易にすることができる。
（実施形態３）
【００４３】
次に第３実施形態として、フォイルブレード２０の変形例を図５及び６により説明する。図５は本実施形態のフォイルブレード３０を示す斜視図、図６は図５中のＸ−Ｘ線に沿う断面図である、図５及び図６において、ワイヤ走行方向上流側に位置する平面部３１と、該平面部３１の下流側に設けられた勾配面３２と、勾配面３２にフォイルブレード３０の全幅に亘って下部ワイヤ１の変形を防止するようにピッチｗで配置されたフィン状部材３３とからなる。フィン状部材３３は、外部に設けられた圧力供給装置３７等によって、下部ワイヤ１とのなす角度φを任意に調整できるようになっている。
【００４４】
即ち、フォイルブレード３０の勾配面３２と下部ワイヤ１及び原料液ｓによって負圧が形成され、その負圧によって下部ワイヤ１を介して原料液ｓに含まれる水分を脱水する。またその負圧によって下部ワイヤ１が変形して下方に力が働く。そこで圧力供給装置３７によって発生した圧力を減圧弁３６及び圧力調整弁３５によって調整し、フィン状部材３３を支持する伸縮性チューブ３４に供給することにより、該圧力と下部ワイヤ１の押し付け力とを釣り合わせてフィン状部材３３を任意の位置に保持することができる。
【００４５】
従ってフィン状部材３３のない部分の勾配面３２に負圧域が形成されて脱水作用が起こるが、フィン状部材３の角度φは任意に調整可能で、ワイヤの変形量を任意に変更でき、原料液ｓの乱れ程度を調整することができる。なお、このフィン状部材３３の角度φ、幅δ及び配設ピッチｗは、ワイヤ走行速度との関係で決めることができ、かつ等ピッチでなくても良い。さらに伸縮性チューブ３４に供給する流体は、空気、水、油等の非圧縮性流体及び圧縮性流体を問わず何れでも良い。
前記第３実施形態では、流体圧力によってフィン状部材３３を可動にしたが、例えばネジ、カム等、機械的な位置制御機構を用いてもよい。なおかかる構成フォイルブレード２０及び３０の詳細は特許第２５４８１２８号公報に開示されている。
【産業上の利用可能性】
【００４６】
本発明によれば、抄紙機のオントップフォーマにおいて、ツインワイヤ部分の始端部に設けられる脱水機器や初期片側脱水領域に設けられる脱水機器をオントップフォーマの高速化に対応可能であるとともに、安価で簡素な構成の脱水機器とすることを可能にする。
【図面の簡単な説明】
【００４７】
【図１】本発明の第１実施形態の一部拡大縦断面図である。
【図２】前記第１実施形態の広幅ブレード５の斜視図である。
【図３】前記第１実施形態の広幅ブレード５の平面視模式図である。
【図４】本発明の第２実施形態のフォイルブレード２０の斜視図である。
【図５】前記フォイルブレード２０の変形例の斜視図である。
【図６】図５中のＸ−Ｘ線に沿う断面図である。
【図７】従来のオントップフォーマの全体概略図である。
【図８】従来のオントップフォーマのツインワイヤ部分の始端部に使用される脱水機器を示す断面図である。
【符号の説明】
【００４８】
Ｉ              初期片側脱水領域（第１脱水領域）
ＩＩ            両側脱水領域（第２脱水領域）
１              下部ワイヤ
２              上部ワイヤ
３              ガイドロール
４              第１段広幅ブレード
５              第２段広幅ブレード
６              白水貯留タンク
７              外壁
８              内壁
９              白水貯留部
１０            排出空間（白水排出路）
１１            吸引配管
１２            ブロア
１４、１５      堰
２０、３０      フォイルブレード
２１、３１      平面部
２２、３２      勾配面
２３、３３      フィン状部材（ワイヤ支持部材）
３４            伸縮性チューブ
４１、５１      脱水用溝
Ｇ              楔状間隔
ｓ              原料液
【図１】
2008106402.tif 000003
【図２】
2008106402.tif 000004
【図３】
2008106402.tif 000005
【図４】
2008106402.tif 000006
【図５】
2008106402.tif 000007
【図６】
2008106402.tif 000008
【図７】
2008106402.tif 000009
【図８】
2008106402.tif 000010